(57)【要約】【課題】  電源投入時のみならず電源遮断時の複数の電源間の相互の電圧を制御可能な回路を提供する。【解決手段】  マイコン１０８の制御信号をＬｏｗレベルからＨｉｇｈレベルに変化させた場合、降圧型コンバータ１０２および降圧型コンバータ１２０によってＶｆｂ１＝Ｖｒｅｆ１、Ｖｆｂ２＝Ｖｒｅｆ２に制御され、参照電圧値Ｖｒｅｆ１＞参照電圧値Ｖｒｅｆ２に制御する。また、マイコン１０８の制御信号をＨｉｇｈレベルからＬｏｗレベルに変化させた場合、適切な分圧抵抗を用いて、ダイオードＤ１のカソード側の電位（Ｖｃｈｔ１）＞ダイオードＤ２のカソード側の電位（Ｖｃｈｔ２）に制御する。【選択図】  図１
2005295706.tif 000002
【特許請求の範囲】
【請求項１】
入力電源と、
前記入力電源の有する電圧値よりも低い第１の電圧値を生成する第１の降圧型コンバータと、
前記第１の電圧値よりも低い電圧値を生成する第２の降圧型コンバータと、
前記第１の降圧型コンバータに設けられるとともに、前記第１の降圧型コンバータが動作時において同じ電圧値になるように制御される第１の入力端子と第２の入力端子と、
前記第２の入力端子に接続される第１の電圧と、
前記第１の降圧型コンバータに設けられる第１の出力端子とグランドとの間に設けられる第１の抵抗と第２の抵抗と、
前記第１の入力端子は、前記第１の抵抗と前記第２の抵抗との間に接続される端子であることを特徴とし、
前記第１の入力端子および前記第３の入力端子に接続されるとともに、前記第１の降圧型コンバータおよび前記第２の降圧型コンバータへ出力される制御信号を発生する制御信号発生部と、
前記制御信号発生部と前記第１の入力端子および前記第３の入力端子との間に設けられる第３の抵抗と、
前記第３の抵抗の前記制御信号発生部が接続される側とは異なる側にアノード側が接続される第１のダイオードと、
前記第３の抵抗の前記制御信号発生部が接続される側とは異なる側に接続されるとともに、前記第１のダイオードのアノード側と前記第３の抵抗との間に接続される第１のコンデンサと、
前記第１のダイオードのカソード側に接続される第４の抵抗と、
前記第２の降圧型コンバータに設けられるとともに、前記第２の降圧型コンバータが動作時において同じ電圧値になるように制御される第３の入力端子と第４の入力端子と、
前記第４の入力端子に接続される第２の電圧と、
前記第２の降圧型コンバータに設けられる第２の出力端子とグランドとの間に設けられる第５の抵抗と第６の抵抗と、
前記第３の入力端子は、前記第５の抵抗と前記第６の抵抗との間に接続される端子であることを特徴とし、
前記第３の抵抗の前記制御信号発生部が接続される側とは異なる側にアノード側が接続される第２のダイオードと、
前記第２のダイオードのカソード側に接続される第７の抵抗とを具備し、
前記第１の降圧型コンバータおよび前記第２の降圧型コンバータは同期整流式降圧型コンバータであることを特徴とするパワーシーケンス回路。
【請求項２】
入力電源と、
前記入力電源の有する電圧値よりも低い第１の電圧値を生成する第１の降圧型コンバータと、
前記第１の電圧値よりも低い電圧値を生成する第２の降圧型コンバータと、
前記第１の降圧型コンバータに設けられるとともに、前記第１の降圧型コンバータが動作時において同じ電圧値になるように制御される第１の入力端子と第２の入力端子と、
前記第２の入力端子に接続される第１の電圧と、
前記第１の降圧型コンバータに設けられる第１の出力端子とグランドとの間に設けられる第１の抵抗と第２の抵抗と、
前記第１の入力端子は、前記第１の抵抗と前記第２の抵抗との間に接続される端子であることを特徴とし、
前記第１の入力端子および前記第３の入力端子に接続されるとともに、前記第１の降圧型コンバータおよび前記第２の降圧型コンバータへ出力される制御信号を発生する制御信号発生部と、
前記制御信号発生部と前記第１の入力端子および前記第３の入力端子との間に設けられる第３の抵抗と、
前記第３の抵抗の前記制御信号発生部が接続される側とは異なる側にアノード側が接続される第１のダイオードと、
前記第３の抵抗の前記制御信号発生部が接続される側とは異なる側に接続されるとともに、前記第１のダイオードのアノード側と前記第３の抵抗との間に接続される第１のコンデンサと、
前記第２の降圧型コンバータに設けられるとともに、前記第２の降圧型コンバータが動作時において同じ電圧値になるように制御される第３の入力端子と第４の入力端子と、
前記第４の入力端子に接続される第２の電圧と、
前記第２の降圧型コンバータに設けられる第２の出力端子とグランドとの間に設けられる第４の抵抗と第５の抵抗と、
前記第３の入力端子は、前記第４の抵抗と前記第５の抵抗との間に接続される端子であることを特徴とし、
前記第３の抵抗の前記制御信号発生部が接続される側とは異なる側にアノード側が接続される第２のダイオードとを具備し、
前記第１の降圧型コンバータおよび前記第２の降圧型コンバータは同期整流式降圧型コンバータであることを特徴とするパワーシーケンス回路。
【請求項３】
前記制御信号発生部と前記第３の入力端子との間に接続されるとともに、前記第２のダイオードのアノード側に接続される第８の抵抗と、
前記第８の抵抗の前記制御信号発生部が接続される側とは異なる側と前記第２のダイオードのアノード側との間に接続される第２のコンデンサとをさらに有することを特徴とする請求項１または２記載のパワーシーケンス回路。
【請求項４】
前記第１の電圧および前記第２の電圧は共通の電圧であることを特徴とする請求項１または２記載のパワーシーケンス回路。
【発明の詳細な説明】
【技術分野】
【０００１】
本発明は、パワーシーケンス回路に関し、特に、情報処理装置等で使用されるパワーシーケンス回路に関する。
【背景技術】
【０００２】
近年、制御用コントローラまたは情報処理装置のシステムにおいて、複数の電源電圧が必要である電源システムが要求されている。この電源システムにおいては、該電源システムによって電源が供給されるＬＳＩを保護するために、特に電源投入時・遮断時において複数の電源間の相互の電位逆転および電位差に留意する必要がある。
【０００３】
複数の電源電圧が必要である電源システムにおいて、電源間における相互の電位が逆転すると誤動作のみならず、ＭＯＳトランジスタのゲート酸化膜の破壊、ラッチアップ現象を引き起こす場合もある。
【０００４】
このような電源システムでは、電源投入時・遮断時において複数の電源間の相互の電位が逆転しないように配慮する必要がある。つまり、電源投入時は高い電圧値を有する電源を先にＯＮさせ、電源遮断時は低い電圧値を有する電源を先にＯＦＦすることで、電源システムは正常に動作する。
【０００５】
電源が投入されると、最初の出力回路の出力電圧を徐々に高くするソフトスタートを行い、全出力回路のソフトスタート終了後、出力回路の電圧監視および回路保護を行う発明があった。（特許文献１参照。）。
【特許文献１】特開平１０−１６４８２５号公報（第３頁、第１図）
【発明の開示】
【発明が解決しようとする課題】
【０００６】
しかしながら、特許文献１にて開示される発明は、ソフトスタート機能に関してシーケンスを設けているために、電源投入時における複数の電源間の相互の電圧を制御しているものの、電源遮断時における複数の電源間の相互の電圧を制御していない。
【０００７】
そこで、本発明は、電源投入時のみならず電源遮断時において複数の電源間の相互の電圧を制御可能なパワーシーケンス回路を提供することを目的とする。
【課題を解決するための手段】
【０００８】
上記目的を達成するために、請求項１に係る発明では、入力電源と、入力電源の有する電圧値よりも低い第１の電圧値を生成する第１の降圧型コンバータと、第１の電圧値よりも低い電圧値を生成する第２の降圧型コンバータと、第１の降圧型コンバータに設けられるとともに、第１の降圧型コンバータが動作時において同じ電圧値になるように制御される第１の入力端子と第２の入力端子と、第２の入力端子に接続される第１の電圧と、第１の降圧型コンバータに設けられる第１の出力端子とグランドとの間に設けられる第１の抵抗と第２の抵抗と、第１の入力端子は、第１の抵抗と第２の抵抗との間に接続される端子であることを特徴とし、第１の入力端子および第３の入力端子に接続されるとともに、第１の降圧型コンバータおよび第２の降圧型コンバータへ出力される制御信号を発生する制御信号発生部と、制御信号発生部と第１の入力端子および第３の入力端子との間に設けられる第３の抵抗と、第３の抵抗の制御信号発生部が接続される側とは異なる側にアノード側が接続される第１のダイオードと、第３の抵抗の制御信号発生部が接続される側とは異なる側に接続されるとともに、第１のダイオードのアノード側と第３の抵抗との間に接続される第１のコンデンサと、第１のダイオードのカソード側に接続される第４の抵抗と、第２の降圧型コンバータに設けられるとともに、第２の降圧型コンバータが動作時において同じ電圧値になるように制御される第３の入力端子と第４の入力端子と、第４の入力端子に接続される第２の電圧と、第２の降圧型コンバータに設けられる第２の出力端子とグランドとの間に設けられる第５の抵抗と第６の抵抗と、第３の入力端子は、第５の抵抗と第６の抵抗との間に接続される端子であることを特徴とし、第３の抵抗の制御信号発生部が接続される側とは異なる側にアノード側が接続される第２のダイオードと、第２のダイオードのカソード側に接続される第７の抵抗とを具備することを特徴とする。
【発明の効果】
【０００９】
本発明によれば、電源投入時のみならず電源遮断時において複数の電源間の相互の電圧を制御するパワーシーケンス回路を提供することが可能となる。
【発明を実施するための最良の形態】
【００１０】
以下本発明に係る実施の形態を、図面を参照して説明する。
【００１１】
図１は、本発明の第１の実施形態に係る回路構成を示す図である。
【００１２】
図２は、複数電源夫々の電圧値の時間遷移に伴う電圧値変化を示す図である。
【００１３】
入力電圧Ｖｉｎ１０１を用いて複数電源のうちの一つの電源の電圧値であるＶｃｃ１を生成する回路は、降圧型コンバータ１０２、Ｖｃｃ１をモニタするための抵抗であるＲｂ１（１０３）、Ｒｃ１（１０４）、参照電圧Ｖｒｅｆ１発生源（１０５）により構成される。
【００１４】
降圧型コンバータ１０２は降圧型ＤＣ−ＤＣコンバータである。降圧型コンバータ１０２は、フィードバック電圧Ｖｆｂ１を有する入力端子１１４および参照電圧Ｖｒｅｆ１を有する入力端子１０５を備える同期整流式降圧型ＤＣ−ＤＣコンバータである。
【００１５】
降圧型コンバータ１０２はフィードバック電圧値Ｖｆｂ１と参照電圧値Ｖｒｅｆ１との電圧値が等しくなる制御を行う。降圧型コンバータ１０２には負荷容量ＣＬ１（１０６）、負荷装置１０７が接続され、正電圧出力制御可能である。
【００１６】
また、入力電圧Ｖｉｎ１０１を用いて複数電源のうちの一つの電源の電圧値であるＶｃｃ２を生成する回路は、Ｖｃｃ１を生成する回路構成と同様の回路構成を有しており、降圧型コンバータ１２０、Ｖｃｃ２をモニタするための抵抗であるＲｂ２（１２１）、Ｒｃ２（１２２）、参照電圧Ｖｒｅｆ２発生源（１２３）により構成される。
【００１７】
降圧型コンバータ１２０は降圧型ＤＣ−ＤＣコンバータであり、フィードバック電圧Ｖｆｂ２を有する入力端子１２８および参照電圧Ｖｒｅｆ１を有する入力端子１２３を備える同期整流式降圧型ＤＣ−ＤＣコンバータである。
【００１８】
降圧型コンバータ１２０はフィードバック電圧値Ｖｆｂ２と参照電圧値Ｖｒｅｆ２との電圧値が等しくなる制御を行う。降圧型コンバータ１２０には負荷容量ＣＬ２（１２４）、負荷装置１２５が接続され、正電圧出力制御可能である。
【００１９】
電源投入・遮断制御は、マイコン１０８によって行われる。マイコン１０８が出力した信号は、１ゲートＩＣ１０９を介して抵抗Ｒ０（１１０）に出力される。抵抗Ｒ０の端部のうちＩＣ１０９が接続される側とは異なる端部に、負荷容量Ｃ０（１１１）を介して電源Ｖｃｃ０およびダイオードＤ１（１１２）およびダイオードＤ２（１２６）のアノード側が接続される。
【００２０】
ダイオードＤ１（１１２）のカソード側に抵抗Ｒａ１を介して降圧型コンバータ１０２のフィードバック端子１１４が接続され、ダイオードＤ２（１２６）のカソード側に抵抗Ｒａ２を介して降圧型コンバータ１２０のフィードバック端子１２８が接続される。ここで、ダイオードＤ１（１１２）のカソード側に抵抗Ｒａ１を接続をしない、ダイオードＤ２（１２６）のカソード側に抵抗Ｒａ２を接続しない構成としてもよい。
【００２１】
マイコン１０８からの制御信号がＬｏｗレベルの場合、ダイオードＤ１（１１２）およびダイオードＤ２（１２６）のアノード側はグランド（Ｇｎｄ）レベルとなり、ダイオードＤ１（１１２）およびダイオードＤ２（１２６）は逆バイアス状態となるので、抵抗Ｒａ１（１１３）および抵抗Ｒａ２（１２７）には電流が流れない。
【００２２】
従って、降圧型コンバータ１０２および降圧型コンバータ１２０は通常動作を行い（夫々のコンバータは、フィードバック電圧値と参照電圧値とを等しくする制御を行う）、Ｖｃｃ１およびＶｃｃ２の電圧値は以下のとおりに算出される。
【００２３】
・Ｖｃｃ１＝Ｖｒｅｆ１×Ｒｃ１／（Ｒｂ１＋Ｒｃ１）
・Ｖｃｃ２＝Ｖｒｅｆ２×Ｒｃ２／（Ｒｂ２＋Ｒｃ２）
次に、マイコン１０８から出力される制御信号をＬｏｗレベルからＨｉｇｈレベルに変化させた場合を考える。
【００２４】
マイコン１０８から出力される制御信号をＬｏｗレベルからＨｉｇｈレベルに変化させた場合、ダイオードＤ１（１１２）およびダイオードＤ２（１２６）のアノード側の電位は、時定数：抵抗Ｒ０×負荷容量Ｃ０で充電される場合の値を有する。ダイオードＤ１（１１２）のアノード側の電位が、抵抗Ｒａ１（１１３）にかかる電圧値Ｖｆ１およびフィードバック電圧値Ｖｆｂ１との和の値よりも大きくなった場合、ダイオードＤ１（１１２）のカソード側から抵抗Ｒａ１に電流が流れ始める。
【００２５】
抵抗Ｒａ１（１１３）にダイオードＤ１（１１２）のカソード側から流れ込む電流の値が増加すると、降圧型コンバータ１０２は参照電圧値Ｖｒｅｆ１とフィードバック電圧値Ｖｆｂ１との値を等しくするように制御するため、ダイオードＤ１（１１２）のカソード側から抵抗Ｒａ１（１１３）に流れ込む電流は抵抗Ｒｂ１（１０２）を介して負荷装置１０７へと流れ込む。
【００２６】
抵抗Ｒｂ１（１０３）に流れ込む電流量が増加するに従って、電圧値Ｖｃｃ１の値は減少する。電圧値Ｖｃｃ１の値が減少し続け、Ｇｎｄレベルに達し、さらに電圧値Ｖｃｃ１の値が減少しようとすると、降圧型コンバータ１０２は負出力制御となり制御不能となる。
【００２７】
降圧型コンバータ１０２が制御不能状態となると、フィードバック電圧値Ｖｆｂ１と参照電圧値Ｖｒｅｆ１とを等しくする制御を行うことが不可能となるので、フィードバック電圧値Ｖｆｂ１は参照電圧値Ｖｒｅｆ１よりも大きな値となる。
【００２８】
ダイオードＤ２（１２６）の順方向に電流が流れ始める場合の動作は、上述にて説明した、ダイオードＤ１（１１２）の順方向に電流が流れ始める場合の動作と同様である。
【００２９】
従って、降圧型コンバータ１０２および降圧型コンバータ１２０が通常動作時において、フィードバック電圧値Ｖｆｂ１＝参照電圧値Ｖｒｅｆ１、フィードバック電圧値Ｖｆｂ２＝参照電圧値Ｖｒｅｆ２であり、さらに、抵抗Ｒａ１（１１３）にかかる電圧値Ｖｆ１および抵抗Ｒａ２（１２７）にかかる電圧値Ｖｆ２が略同値であるならば、参照電圧値Ｖｒｅｆ１＞参照電圧値Ｖｒｅｆ２と制御することで、図２に示すとおりＶｃｃ２の遮断開始時期をＶｃｃ１の遮断開始時期よりも早く開始することが可能となる。
【００３０】
次に、マイコン１０８から出力される制御信号をＨｉｇｈレベルからＬｏｗレベルに変化させた場合を考える。
【００３１】
マイコン１０８から出力される制御信号をＨｉｇｈレベルかＬｏｗレベルに変化させた場合、ダイオードＤ１（１１２）およびダイオードＤ２（１２６）のアノード側の電位は、時定数：抵抗Ｒ０×負荷容量Ｃ０で放電される場合の値を有する。
【００３２】
ダイオードＤ１（１１２）のアノード側の電位は時間の経過とともに低下するので、ダイオードＤ１（１１２）から抵抗Ｒａ１（１１３）に流れる電流量は時間の経過に従って減少する。従って、フィードバック電圧値Ｖｆｂ１も時間の経過に従って減少する。フィードバック電圧値Ｖｆｂ１が参照電圧値Ｖｒｅｆ１に達した時、降圧型コンバータ１０２は制御可能となり、電圧値Ｖｃｃ１は増加開始する。
【００３３】
ダイオードＤ２（１２６）のアノード側の電位が時間の経過とともに低下する場合の動作は、上述にて説明した、ダイオードＤ１（１１２）のアノード側の電位が時間の経過とともに低下する場合の動作と同様である。
【００３４】
複数電源のうちの一つの電源の電圧値であるＶｃｃ１およびＶｃｃ２が０から増加開始する場合における、ダイオードＤ１（１１２）のカソード側の電位Ｖｃｔｈ１、およびダイオードＤ２（１２６）のカソード側の電位Ｖｃｔｈ２は、以下のとおりに算出される。
【００３５】
・Ｖｃｔｈ１＝Ｖｒｅｆ１×（Ｒａ１×Ｒｂ１＋Ｒａ１×Ｒｃ１＋Ｒｂ１×Ｒｃ１）／（Ｒｂ１×Ｒｃ１）…（１）
・Ｖｃｔｈ２＝Ｖｒｅｆ２×（Ｒａ２×Ｒｂ２＋Ｒａ２×Ｒｃ２＋Ｒｂ２×Ｒｃ２）／（Ｒｂ１×Ｒｃ１）…（２）
従って、適切な分圧抵抗を用いて、Ｖｃｈｔ１＞Ｖｃｈｔ２とすることで、図２に示すとおり、Ｖｃｃ１の電源投入開始時期をＶｃｃ２の電源投入開始時期よりも早く開始することが可能となる。
【００３６】
適切な分圧抵抗の一例を挙げると、Ｒ０＝２ｋΩ、Ｃ０＝０．５μＦ、Ｒａ１＝２ｋΩ、Ｒａ２＝１０ｋΩ、Ｒｂ１＝１０ｋΩ、Ｒｂ２＝２０ｋΩ、Ｒｃ１＝１０ｋΩ、Ｒｃ２＝２０ｋΩ、Ｖｒｅｆ１＝１．６５Ｖ、Ｖｒｅｆ２＝０．９Ｖとすることで、図２に示すように、電源投入時には、供給する電圧値が高い電源であるＶｃｃ１が先に立ち上がり、その後、供給する電圧値が低い電源であるＶｃｃ２は立ち上がる。また、電源遮断時には、供給する電圧値が低い電源であるＶｃｃ２が先に立ち下がり、その後、供給する電圧値が高い電源であるＶｃｃ１は立ち下がる。
【００３７】
上述にて説明した電源システムの制御を行うことで、供給する電圧値が高い電源は供給する電圧値が低い電源と比較して、常時、高い電圧値を維持可能となり、電源間における相互の電位の逆転を防ぐことが可能となる。次に、図３を用いて第２の実施形態を説明する。
【００３８】
図３は、本発明の第２の実施形態に係る回路構成を示す図である。
【００３９】
第２の実施形態に係る回路構成は、第１の実施形態に係る回路構成と比較して、負荷容量Ｃ１（２３０）、抵抗Ｒ１（２３１）を追加した構成である。負荷容量Ｃ１（２３０）は電源Ｖｃｃ０に接続され、抵抗Ｒ１（２３１）は１ゲートＩＣ１０９に接続される。
【００４０】
図１を用いて説明した第１の実施形態では、ダイオードＤ１（１１２）に流れ込む電流およびダイオードＤ２（１２６）に流れ込む電流は、共に抵抗Ｒ０（１１０）を介して供給される。従って、ダイオードの製造ばらつきのために、ダイオードＤ１およびダイオードＤ２の順方向電圧が大きく異なる場合、電源遮断時において電源Ｖｃｃ１の電位が完全にＧｎｄまで落ちない可能性を有する。
【００４１】
そこで、負荷容量Ｃ１（２３０）、抵抗Ｒ１（２３１）を追加することで、Ｖｃｃ１およびＶｃｃ２の電源投入時・遮断時における立ち上がり、立ち下がりのタイミングを変化させることが可能となる。次に、図４を用いて第３の実施形態を説明する。
【００４２】
図４は、本発明の第３の実施形態に係る回路構成を示す図である。
【００４３】
第３の実施形態に係る回路構成は、第１の実施形態に係る回路構成と比較して、降圧型コンバータ３０２および降圧型コンバータ３２０に参照電圧値Ｖｒｅｆを接続する構成である。
【００４４】
この場合、電源遮断の立ち下がり開始タイミングはＶｃｃ１とＶｃｃ２とで同時となり、電源投入時の立ち上がり開始タイミングは、式（１）、（２）において抵抗Ｒａ１（３１２）、Ｒａ２（３２７）、Ｒｂ１（３０３）、Ｒｂ２（３２１）、Ｒｃ１（３０４）、Ｒｃ２（３２２）をＶｃｔｈ＞Ｖｃｔｈ２となるように適切に選択することで、図２に示すように、電源投入時には、供給する電圧値が高い電源であるＶｃｃ１が先に立ち上がり、その後、供給する電圧値が低い電源であるＶｃｃ２は立ち上がる。
【００４５】
さらに、降圧型コンバータが、複数電源夫々の有する電圧の立ち上がり、立ち下がり制御を確実に行うような時定数：抵抗Ｒ０×負荷容量Ｃ０の値を設定しておくことで、電源間における相互の電位の逆転を確実に防ぐことが可能となる。
【００４６】
負荷容量Ｃ０および抵抗Ｒ０の値を夫々、適切な値に設定することで、複数電源夫々の有する電圧の立ち上がり、立ち下がり速度を調整することが可能となる。電圧の立ち上げから動作開始の時間が規定されているシステムにおいて、動作開始時期までに適切な電圧値に達する比較的大きな値を有する負荷容量Ｃ０、抵抗Ｒ０を選択することで、確実にＶｃｃ１＞Ｖｃｃ２を維持することが可能となる。また、降圧型コンバータ自体はイネーブル状態であるため、降圧型コンバータの起動開始に要する時間を考慮不要となる。
【００４７】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００４８】
【図１】本発明の第１の実施形態に係る回路構成を示す図。
【図２】複数電源夫々の電圧値の時間遷移に伴う電圧値変化を示す図。
【図３】本発明の第２の実施形態に係る回路構成を示す図。
【図４】本発明の第３の実施形態に係る回路構成を示す図。
【符号の説明】
【００４９】
１０２，１２０…降圧型コンバータ、１０７，１２５…負荷装置、
１０８…マイコン、１１２，１２６…ダイオード、
【図１】
2005295706.tif 000003
【図２】
2005295706.tif 000004
【図３】
2005295706.tif 000005
【図４】
2005295706.tif 000006